【手続補正書】
【提出日】平成24年11月14日(2012.11.14)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、正の屈折力の第４レンズ群より構成され、ズーミングに際して隣り合うレンズ群のそれぞれの間隔が変化するように各レンズ群が移動するズームレンズであって、前記第１レンズ群は負の屈折力の第１１レンズ、正の屈折力の第１２レンズより構成され、前記第２レンズ群は負の屈折力の第２１レンズ、負の屈折力の第２２レンズ、正の屈折力の第２３レンズより構成され、前記第１２レンズの材料の屈折率とアッベ数を各々ｎ１２、ν１２、前記ズームレンズの広角端と望遠端における焦点距離を各々ｆｗ、ｆｔとするとき、
７．５＜ｆｔ／ｆｗ＜１３．０
ｎ１２＞−０．００１３ν１２＋１．６３
ν１２＞６５
なる条件を満足することを特徴とするズームレンズ。
【請求項２】
広角端から望遠端へのズーミングにおける前記第１レンズ群の光軸方向の移動量をＭ１とするとき、
２．５＜Ｍ１／ｆｗ＜７．０
なる条件を満足することを特徴とする請求項１のズームレンズ。
【請求項３】
前記第１レンズ群の焦点距離をｆ１とするとき、
１．０＜ｆ１／ｆｔ＜１．５
なる条件を満足することを特徴とする請求項１又は２のズームレンズ。
【請求項４】
前記第３レンズ群は、物体側から像側へ順に、正レンズ、正レンズ、負レンズより構成されていることを特徴とする請求項１乃至３のいずれか１項のズームレンズ。
【請求項５】
前記第４レンズ群は単一の正レンズより構成されていることを特徴とする請求項１乃至４のいずれか１項のズームレンズ。
【請求項６】
前記第２レンズ群は、物体側から像側へ順に、像側の面が凹形状の負レンズ、物体側の面が凹形状の負レンズ、物体側の面が凸形状の正レンズより構成されていることを特徴とする請求項１乃至５のいずれか１項のズームレンズ。
【請求項７】
請求項１乃至６のいずれか１項に記載のズームレンズと、該ズームレンズによって形成される像を受光する固体撮像素子を有することを特徴とする撮像装置。
【手続補正２】
【補正対象書類名】明細書
【補正対象項目名】０００８
【補正方法】変更
【補正の内容】
【０００８】
本発明のズームレンズは、物体側より像側へ順に、正の屈折力の第１レンズ群、負の屈折力の第２レンズ群、正の屈折力の第３レンズ群、正の屈折力の第４レンズ群より構成され、ズーミングに際して隣り合うレンズ群のそれぞれの間隔が変化するように各レンズ群が移動するズームレンズであって、前記第１レンズ群は負の屈折力の第１１レンズ、正の屈折力の第１２レンズより構成され、前記第２レンズ群は負の屈折力の第２１レンズ、負の屈折力の第２２レンズ、正の屈折力の第２３レンズより構成され、前記第１２レンズの材料の屈折率とアッベ数を各々ｎ１２、ν１２、前記ズームレンズの広角端と望遠端における焦点距離を各々ｆｗ、ｆｔとするとき、
７．５＜ｆｔ／ｆｗ＜１３．０
ｎ１２＞−０．００１３ν１２＋１．６３
ν１２＞６５
なる条件を満足することを特徴としている。
【手続補正３】
【補正対象書類名】明細書
【補正対象項目名】００１１
【補正方法】変更
【補正の内容】
【００１１】
以下、本発明のズームレンズ及びそれを有する撮像装置の実施例について説明する。本発明のズームレンズは、物体側より像側へ順に、正の屈折力の第１レンズ群、負の屈折力の第２レンズ群、正の屈折力の第３レンズ群、正の屈折力の第４レンズ群より構成されている。そして、広角端に比べ望遠端において第１レンズ群と第２レンズ群の間隔が大きく、第２レンズ群と第３レンズ群の間隔が小さく、第３レンズ群と第４レンズ群の間隔が大きくなるように各レンズ群が移動してズーミングを行っている。即ち各レンズ群間隔が変化するようにしてズーミングを行っている。
【手続補正４】
【補正対象書類名】明細書
【補正対象項目名】００２１
【補正方法】変更
【補正の内容】
【００２１】
次に各条件式の技術的意味について説明する。条件式（１）は本発明のズームレンズにおける所望の変倍比を示すものであり、条件式（２）、（３）と同時に満たすべき概念のものである。条件式（１）の上限値を超えて、ズーム比が大きくなりすぎると各実施例のレンズ構成においては、全ズーム域において良好なる収差補正を行う事が困難となってくる。条件式（１）の下限値を超えてズーム比が小さくなると所望のズーム比が得られなくなると共に各レンズ構成を前述の如く構成するのに最適なものでなくなるので良くない。
【手続補正５】
【補正対象書類名】明細書
【補正対象項目名】００３４
【補正方法】変更
【補正の内容】
【００３４】
で表示される。但しＲは曲率半径である。また例えば「Ｅ−Ｚ」の表示は「１０−Ｚ」を意味する。数値実施例において最後の２つの面は、フィルター、フェースプレート等の光学ブロックの面である。各数値実施例においてｄ１０の値が負になっているのは物体側から像側へ順に開口絞り、第３レンズ群の最も物体側の正レンズと数えたためである。各実施例において、バックフォーカス（ＢＦ）はレンズ最終面から近軸像面までの距離を空気換算長により表したものである。レンズ全長は最も物体側のレンズ面から最終レンズ面までの距離に、バックフォーカスを加えたものである。また、各数値実施例における上述した条件式との対応を表−１に示す。表−１において条件式（２）は右辺から左辺を引いた値で示している。
【手続補正６】
【補正対象書類名】明細書
【補正対象項目名】００３５
【補正方法】変更
【補正の内容】
【００３５】
〔数値実施例１〕
単位 mm
面データ
面番号       r        d      nd         νd       
1         19.606    0.90   1.84666    23.9       
2         16.244    3.40   1.59282    68.6       
3         75.577  (可変)                         
4         46.419    0.70   1.88300    40.8       
5          6.927    3.23                         
6        -26.009    0.55   1.84862    40.0       
7*        25.790    0.23                         
8*        12.089    1.40   2.00178    19.3       
9         46.536  (可変)                         
10(絞り)    ∞      -0.35                          
11*         7.830    2.10   1.58313    59.4        
12*       -16.380    0.20                          
13          4.389    1.40   1.69680    55.5        
14          8.649    0.50   2.00069    25.5        
15          3.462  (可変)                          
16         16.516    1.75   1.69680    55.5        
17        143.428  (可変)                          
18          ∞       0.80   1.51633    64.1       
19          ∞       0.73                         
像面        ∞   
非球面データ
第7面
K =-2.21343e+000  A 4=-1.57161e-005  A 6= 3.80314e-008  A 8=-6.43111e-009  
第8面
K = 1.34269e-001  A 4=-1.06906e-004  A 6=-1.67554e-006  A 8= 4.15566e-008  A10=-6.21350e-010  
第11面
K =-1.40922e+000  A 4=-7.25682e-005  A 6=-7.02094e-006  
第12面
K =-1.59485e+001  A 4=-4.18803e-004  
各種データ
ズーム比     7.71 
広角     中間     望遠
焦点距離       5.12    17.70    39.50  
Fナンバー      2.95     4.46     6.08  
半画角（度）   34.2     12.4      5.61    
像高           3.48     3.88     3.88  
レンズ全長    45.15    41.52    59.88  
BF             4.26    12.22     5.58  
d 3            0.40     7.07    18.31  
d 9           19.26     2.40     1.00  
d15            5.22     3.82    18.98  
d17            3.00    10.96     4.32  
入射瞳位置    13.37    21.00    55.01  
射出瞳位置   -13.52   -19.16   -92.95  
前側主点位置  16.65    22.95    77.86  
後側主点位置  -4.40   -16.97   -38.77  
ズームレンズ群データ
群  始面    焦点距離  レンズ構成長  前側主点位置  後側主点位置
1    1      48.37         4.30        -1.37         -3.90
2    4      -9.07         6.11         0.44         -4.41
3   10      10.65         3.85        -3.46         -4.16
4   16      26.64         1.75        -0.13         -1.16
5   18       ∞           0.80         0.26         -0.26
単レンズデータ
レンズ  始面  焦点距離
1       1   -127.53
2       2     34.17
3       4     -9.30
4       6    -15.19
5       8     15.98
6      11      9.38
7      13     11.27
8      14     -6.06
9      16     26.64
10      18      0.00
【手続補正７】
【補正対象書類名】明細書
【補正対象項目名】００３６
【補正方法】変更
【補正の内容】
【００３６】
〔数値実施例２〕
単位 mm
面データ
面番号       r        d      nd         νd       
1         23.307    0.90   1.84666    23.9       
2         19.150    2.50   1.59282    68.6       
3         88.514  (可変)                         
4         72.335    0.70   1.88300    40.8       
5          7.175    3.06                         
6        -23.549    0.55   1.76753    49.3        
7*        27.562    0.23                          
8*        12.089    1.40   2.00178    19.3        
9         39.530  (可変)                          
10(絞り)    ∞      -0.35                          
11*         7.830    2.10   1.59201    67.0        
12*       -16.380    0.20                          
13          4.377    1.40   1.69680    55.5        
14          8.162    0.50   2.00069    25.5        
15          3.441  (可変)                          
16         14.841    1.60   1.69680    55.5        
17         85.847  (可変)                          
18          ∞       0.80   1.51633    64.1       
19          ∞       0.91                         
像面        ∞   
非球面データ
第7面
K =-1.57174e+001  A 4= 5.10466e-005  A 6= 4.65505e-006  A 8=-1.71903e-007  
第8面
K =-8.31755e-002  A 4=-9.60920e-005  A 6= 1.24049e-006  A 8=-5.51153e-008  A10=-6.21350e-010  
第11面
K =-1.29610e+000  A 4=-8.95252e-005  A 6=-5.51173e-006  
第12面
K =-1.46404e+001  A 4=-3.52317e-004  
各種データ
ズーム比      8.62 
広角     中間     望遠
焦点距離       5.12    19.28    44.13  
Fナンバー      2.87     4.37     6.08  
半画角（度）   34.2     11.4      5.02  
像高           3.48     3.88     3.88  
レンズ全長    42.19    45.87    68.31  
BF             3.94    12.75     5.34  
d 3            0.40    12.68    26.54  
d 9           17.22     1.85     1.00  
d15            5.84     3.80    20.64  
d17            2.50    11.31     3.90  
入射瞳位置    11.33    28.89    76.27  
射出瞳位置   -14.17   -19.42  -164.53  
前側主点位置  14.71    29.89   108.63  
後側主点位置  -4.20   -18.37   -43.21  
ズームレンズ群データ
群  始面    焦点距離  レンズ構成長  前側主点位置  後側主点位置
1    1      58.92         3.40        -1.20         -3.20
2    4      -8.97         5.94         0.40         -4.28
3   10      10.31         3.85        -3.34         -4.07
4   16      25.51         1.60        -0.20         -1.13
5   18       ∞           0.80         0.26         -0.26
単レンズデータ
レンズ  始面  焦点距離
1       1   -140.78
2       2     40.68
3       4     -9.07
4       6    -16.47
5       8     16.95
6      11      9.25
7      13     11.76
8      14     -6.28
9      16     25.51
10      18      0.00
【手続補正８】
【補正対象書類名】明細書
【補正対象項目名】００３７
【補正方法】変更
【補正の内容】
【００３７】
〔数値実施例３〕
単位 mm
面データ
面番号       r        d      nd         νd       
1         23.862    0.90   1.84666    23.9       
2         19.232    3.10   1.59282    68.6       
3        106.625  (可変)                         
4         75.801    0.70   1.88300    40.8       
5          7.289    2.84                         
6        -18.934    0.55   1.76753    49.3       
7*        27.562    0.23                          
8*        12.089    1.40   2.00178    19.3       
9         49.934  (可変)                          
10(絞り)    ∞      -0.35                          
11*         7.830    2.10   1.59201    67.0        
12*       -16.380    0.20                          
13          4.207    1.40   1.60311    60.6        
14          7.573    0.50   2.00069    25.5        
15          3.471  (可変)                          
16         15.400    1.75   1.69680    55.5        
17         79.588  (可変)                          
18          ∞       0.50   1.51633    64.1       
19          ∞       1.34                         
像面        ∞   
非球面データ
第7面
K =-4.62874e+001  A 4= 1.76212e-005  A 6= 1.92866e-006  A 8= 3.85142e-009  
第8面
K =-1.23639e+000  A 4=-1.90246e-004  A 6= 4.39423e-006  A 8=-2.05897e-008  A10=-6.21350e-010  
第11面
K =-1.58151e+000  A 4=-2.89590e-005  A 6=-5.61142e-006  
第12面
K =-1.60851e+001  A 4=-3.76595e-004  
各種データ
ズーム比      9.59 
広角     中間     望遠
焦点距離       5.13    20.25    49.19  
Fナンバー      2.79     4.34     6.08  
半画角（度）   34.2     10.8      4.50  
像高           3.48     3.88     3.88  
レンズ全長    43.90    47.82    71.14  
BF             4.14    13.48     5.82  
d 3            0.40    12.91    27.01  
d 9           18.23     2.37     1.17  
d15            5.81     3.74    21.81  
d17            2.47    11.81     4.15  
入射瞳位置    11.95    30.80    82.83  
射出瞳位置   -13.78   -19.66  -164.45  
前側主点位置  15.33    31.51   117.42  
後側主点位置  -3.79   -18.92   -47.86  
ズームレンズ群データ
群  始面    焦点距離  レンズ構成長  前側主点位置  後側主点位置
1    1      57.83         4.00        -1.16         -3.53
2    4      -8.87         5.73         0.40         -4.08
3   10      10.57         3.85        -3.40         -4.16
4   16      27.10         1.75        -0.24         -1.26
5   18       ∞           0.50         0.16         -0.16
単レンズデータ
レンズ  始面  焦点距離
1       1   -128.54
2       2     39.07
3       4     -9.18
4       6    -14.55
5       8     15.63
6      11      9.25
7      13     13.57
8      14     -6.82
9      16     27.10
10      18      0.00
【手続補正９】
【補正対象書類名】明細書
【補正対象項目名】００３８
【補正方法】変更
【補正の内容】
【００３８】
〔数値実施例４〕
単位 mm
面データ
面番号       r        d      nd         νd       
1         17.962    0.90   1.84666    23.9       
2         15.006    2.70   1.59201    67.0       
3         93.070  (可変)                         
4       -517.785    0.70   1.88300    40.8       
5          6.397    2.72                          
6       -142.266    0.55   1.76753    49.3        
7*        25.790    0.30
8         13.077    1.30   1.94595    18.0        
9         40.611  (可変)                          
10(絞り)    ∞      -0.30                          
11*         7.830    1.60   1.55332    71.7       
12*       -16.380    0.20                          
13          3.789    1.30   1.60311    60.6        
14          6.413    0.50   2.00069    25.5        
15          3.190  (可変)                          
16         14.551    1.70   1.69680    55.5        
17        127.295  (可変)                          
18          ∞       0.80   1.51633    64.1       
19          ∞       0.50                         
像面        ∞   
非球面データ
第7面
K =-7.49412e+000  A 4=-1.81694e-005  A 6=-3.69008e-006  A 8= 1.08496e-007  A10=-4.71719e-009  
第11面
K =-1.48671e+000  A 4= 5.14868e-005  A 6=-7.59365e-006  
第12面
K = 8.75388e+000  A 4= 4.36212e-004  
各種データ
ズーム比      7.71 
広角     中間     望遠
焦点距離       5.13    18.02    39.50  
Fナンバー      3.41     4.77     7.05  
半画角（度）   34.2     12.1      5.60  
像高           3.48     3.88     3.88  
レンズ全長    42.99    44.01    57.80  
BF             4.80    10.30     5.58  
d 3            0.48    10.07    15.95  
d 9           18.09     3.28     1.15  
d15            5.44     6.18    20.96  
d17            3.77     9.27     4.55  
入射瞳位置    11.75    28.81    48.94  
射出瞳位置   -14.80   -21.82  -436.32  
前側主点位置  15.16    32.29    84.87  
後側主点位置  -4.62   -17.51   -39.00  
ズームレンズ群データ
群  始面    焦点距離  レンズ構成長  前側主点位置  後側主点位置
1    1      40.53         3.60        -0.90         -3.03
2    4      -8.46         5.57        -0.03         -4.55
3   10      10.97         3.30        -3.45         -4.01
4   16      23.43         1.70        -0.13         -1.12
5   18       ∞           0.80         0.26         -0.26
単レンズデータ
レンズ  始面  焦点距離
1       1   -125.21
2       2     29.84
3       4     -7.15
4       6    -28.40
5       8     19.93
6      11      9.80
7      13     12.94
8      14     -6.88
9      16     23.43
10      18      0.00